(57)【要約】      （修正有）【課題】組立分解を容易にし、何度でも使用可能で清潔にでき、簡単に流しソーメンを行うことができる流しソーメン用水路ユニットを提供する。【解決手段】本流しソーメン用水路ユニット１は、半円弧の断面を有する樋３と、該樋３の両端を吊下げ支持する２個のアーチ型支持体７と、該アーチ型支持体７の両端を支持する４本の支持脚８とから構成され、前記樋３と前記アーチ型支持体７、前記アーチ型支持体７と前記支持脚８をカップリングナット９等の脱着できる装置又は折畳み収納できる装置で固定する。【選択図】図２
0003160054.tif 000002
【実用新案登録請求の範囲】
【請求項１】
半円弧の断面を有する樋と、該樋の両端を吊下げ支持するアーチ型支持体と、該アーチ型支持体の両端を支持する支持脚とから構成され、前記樋と前記アーチ型支持体、前記アーチ型支持体と前記支持脚をカップリングナット等の脱着できる装置又は折畳み収納できる装置で固定することを特徴とする流しソーメン用水路ユニット。
【請求項２】
前記樋は、両端部に円筒部を備え、上流側の円筒部に湾曲した半エルボを接続し、下流側の円筒部に斜め切断した先尖部を接続し、さらに前記円筒部の中央部上面に前記アーチ型支持体のカップリングナットに接続されるネジ筒を設けることを特徴とする請求項１記載の流しソーメン用水路ユニット。
【請求項３】
半円弧の断面を有する樋と、該樋を吊下げ片持ち支持するアーチ型支持体と、該アーチ型支持体の両端を支持する支持脚とから構成され、前記樋と前記アーチ型支持体、前記アーチ型支持体と前記支持脚をカップリングナット等の脱着できる装置又は折畳み収納できる装置で固定することを特徴とする流しソーメン用水路ユニット。
【請求項４】
前記樋は、上流側に円筒部を備え、該円筒部に湾曲した半エルボを接続し、下流側に斜め切断した先尖部を形成し、さらに前記円筒部の中央部上面に前記アーチ型支持体のカップリングナットに接続されるネジ筒を設けることを特徴とする請求項３記載の流しソーメン用水路ユニット。
【請求項５】
前記アーチ型支持体は、水平の支持部と該支持部の両端に下斜め外方へ固定された傾斜支持部とからなり、前記支持部の中央下部にカップリングナットを設けると共に、前記傾斜支持部の端部にもカップリングナットを設けることを特徴とする請求項１又は３記載の流しソーメン用水路ユニット。
【請求項６】
前記支持脚は、長さの異なる複数組又は伸縮自在の直線状の円筒体から成り、先端にネジ筒を形成し、下端に滑り止め部材を備えることを特徴とする請求項１又は３記載の流しソーメン用水路ユニット。
【考案の詳細な説明】
【技術分野】
【０００１】
本考案は、冷水で樋に素麺を流して下流で流れてきた素麺を箸で摘み上げ食する流しソーメン用水路ユニットに関する。
【背景技術】
【０００２】
従来の竹製の流しソーメン台は、製作に竹材があれば可能であるが、竹材の準備及び製作のための切断、節の除去、割口の加工、組立に加工用工具が必要となり、さらに技術的にも困難が生じる。また組み立てたものの安定性を保つことが困難である。さらに、切断面の小口が鋭利になり、棘の発生により怪我をする可能性がある。また、使用後の保存状態により、カビの発生、乾燥による割れ、収縮による破損などで単年度の使用しか望めない。
【０００３】
そのため、流し素麺としての面白さ、醍醐味等を発揮すると共に、使用時における組立が容易であり、非使用時にはコンパクトに収納することができ、清潔であってひび割れが生じない素麺流し装置が知られている（特許文献１を参照）。
この公知技術は、支持体により傾斜状態に支持された流水路と、該流水路の上流端に水を供給する水供給手段と、前記流水路の下流端より落下した水と素麺とを受ける受け手段とよりなり、前記流水路は直線状で略円弧状断面を有し、前記水供給手段は水供給ホースの先端を前記流水路の上流端に固定してなり、前記受け手段は前記流水路の下流端より落下した素麺を通過させることなく受け取る素麺受けと、前記流水路の下流端より落下した水を排水する排水管とを備える素麺流し装置である。
【０００４】
さらに、簡単な折りたたみ可能な脚により上部にかけひ（地面より高い位置に掛け渡した樋）を安定して載せることができ、倒れる心配がなく使用できる折りたたみ式脚を供える組立式かけひ装置が知られている（特許文献２を参照）。
この公知技術は、一箇所の軸線上で閉じ合わされてそのまわりにＸ字状に開閉可能の２本の主脚と、その両側に各１本の補助脚を並べて共通の軸線上で閉じ合わされて脚が構成され、補助脚の閉じ合わせ用ボルトの孔を垂直孔と斜孔とで構成している組立式かけひ装置である。
【先行技術文献】
【特許文献】
【０００５】
【特許文献１】実用新案登録第３１４３４１４号公報
【特許文献２】実開平６−１９６４７号公報
【考案の概要】
【考案が解決しようとする課題】
【０００６】
本考案は、組立分解を容易にし、何度でも使用可能で清潔にでき、簡単に流しソーメンを行うことができる流しソーメン用水路ユニットを提供することを目的とする。
【課題を解決するための手段】
【０００７】
本考案の流しソーメン用水路ユニットは、半円弧の断面を有する樋と、該樋の両端を吊下げ支持するアーチ型支持体と、該アーチ型支持体の両端を支持する支持脚とから構成され、前記樋と前記アーチ型支持体、前記アーチ型支持体と前記支持脚をカップリングナット等の脱着できる装置又は折畳み収納できる装置で固定するものである。
樋は、両端部に円筒部を備え、上流側の円筒部に湾曲した半エルボを接続し、下流側の円筒部に斜め切断した先尖部を接続し、さらに前記円筒部の中央部上面に前記アーチ型支持体のカップリングナットに接続されるネジ筒を設ける。
本考案の流しソーメン用水路ユニットは、半円弧の断面を有する樋と、該樋を吊下げ片持ち支持するアーチ型支持体と、該アーチ型支持体の両端を支持する支持脚とから構成され、前記樋と前記アーチ型支持体、前記アーチ型支持体と前記支持脚をカップリングナット等の脱着できる装置又は折畳み収納できる装置で固定するものである。
樋は、上流側に円筒部を備え、該円筒部に湾曲した半エルボを接続し、下流側に斜め切断した先尖部を形成し、さらに前記円筒部の中央部上面に前記アーチ型支持体のカップリングナットに接続されるネジ筒を設ける。
前記アーチ型支持体は、水平の支持部と該支持部の両端に下斜め外方へ固定された傾斜支持部とからなり、前記支持部の中央下部にカップリングナットを設けると共に、前記傾斜支持部の端部にもカップリングナットを設ける。
前記支持脚は、長さの異なる複数組の直線状の円筒体から成り、先端にネジ筒を形成し、下端に滑り止め部材を備える。
【考案の効果】
【０００８】
本考案の流しソーメン用水路ユニットは、半円弧の断面を有する樋と、該樋の両端を吊下げ支持するアーチ型支持体と、該アーチ型支持体の両端を支持する支持脚とから構成され、前記樋と前記アーチ型支持体、前記アーチ型支持体と前記支持脚をカップリングナット等の脱着できる装置又は折畳み収納できる装置で固定するため、組立分解又は折畳み収納可能であり、簡単に設置することができ、また収納時のスペースを少なくすることができる。
【図面の簡単な説明】
【０００９】
【図１】本考案の流しソーメン用水路ユニットの使用した流しソーメン装置の概略全体側面図である。
【図２】本考案のホース接続上流ユニットの側面図である。
【図３】本考案のホース接続上流ユニットの一部省略拡大正面図である。
【図４】本考案の中間ユニットの側面図である。
【図５】ホース接続上流ユニットの樋の側面図である。
【図６】アーチ型支持体の側面図である。
【図７】支持脚の側面図である。
【図８】中間ユニットの樋の側面図である。
【図９】本考案の他の実施例の流しソーメン用水路ユニットの使用した流しソーメン装置の概略全体側面図である。
【図１０】片脚ホース接続ユニットの側面図である。
【図１１】片脚中間ユニットの側面図である。
【図１２】片脚ホース接続ユニットの樋の側面図である。
【図１３】片脚中間ユニットの樋の側面図である。
【考案を実施するための形態】
【００１０】
本考案の流しソーメン用水路ユニットの一実施例を添付図面に基づいて、以下に説明する。
本考案の流しソーメン用水路ユニットは、図１の側面図に示すように、最上流にホース接続上流ユニット１を配置し、引き続いて中間ユニット２を連続的に接続して直線状又は円弧状の流しソーメン用水路が形成される。
【００１１】
前記ホース接続上流ユニット１は、図２の側面図に示すように、半円弧の断面を有する樋３の両端部に円筒部４を備え、上流側の円筒部４に水道のホース接続口５を接続し、下流側の円筒部４に斜め切断した先尖部６を接続する。
前記樋３の両端を吊下げ支持する２個のアーチ型支持体７を設け、該アーチ型支持体７の両端を支持する４本の支持脚８を設ける。
【００１２】
図３の一部省略拡大正面図に示すように、前記樋３は、前記円筒部４の中央部上面に前記アーチ型支持体７のカップリングナット９に接続されるネジ筒１０を設ける。
前記アーチ型支持体７は、水平の水平支持部１１と該水平支持部１１の両端に下斜め外方へ固定された傾斜支持部１２とからなり、前記水平支持部１１の中央下部にカップリングナット９を設けると共に、前記傾斜支持部１２の端部にもカップリングナット９を設ける。
前記支持脚８は、長さの異なる複数組又は伸縮自在の直線状の円筒体から成り、先端にネジ筒１０を形成し、下端に滑り止め部材１３を備える。前記支持脚８のネジ筒１０は、前記アーチ型支持体７の傾斜支持部１２のカップリングナット９に固定される。
【００１３】
前記中間ユニット２は、図４の側面図に示すように、前述のホース接続上流ユニット１と同様に、半円弧の断面を有する樋３の両端部に円筒部４を備え、上流側の円筒部４に半エルボ１４を接続し、下流側の円筒部４に斜め切断した先尖部６を接続する。
前記樋３の両端を吊下げ支持する２個のアーチ型支持体７を設け、該アーチ型支持体７の両端を支持する４本の支持脚８を設ける。
前記樋３は、前記円筒部４の中央部上面に前記アーチ型支持体７のカップリングナット９に接続されるネジ筒１０を設ける。
前記アーチ型支持体７は、水平の水平支持部１１と該水平支持部１１の両端に下斜め外方へ固定された傾斜支持部１２とからなり、前記水平支持部１１の中央下部にカップリングナット９を設けると共に、前記傾斜支持部１２の端部にもカップリングナット９を設ける。
前記支持脚８は、長さの異なる複数組又は伸縮自在の直線状の円筒体から成り、先端にネジ筒１０を形成し、下端に滑り止め部材１３を備える。
なお、前記アーチ型支持体７と前記支持脚８をカップリングナット９等の脱着できる装置のほか、前記支持脚８を折畳み収納できる装置で固定することもできる。
【００１４】
次に、本考案の流しソーメン用水路ユニットの組立動作を添付図面に基づいて、以下に説明する。
最初に、図５に示すホース接続上流ユニット１と図６に示すアーチ型支持体７を組み立てる。樋３の両端の円筒部４のネジ筒１０にアーチ型支持体７の水平支持部１１のカップリングナット９を螺合して樋３とアーチ型支持体７を組立てて吊下げ支持する。
次に、前記アーチ型支持体７の傾斜支持部１２のカップリングナット９に図７に示すネジ筒１０を螺合する。
このようにして、図２に示すホース接続上流ユニット１を組み立てる。その際に、前記樋３のホース接続口５側の支持脚８を高くし、先尖部６側の支持脚８を低くする。
【００１５】
次に、図８に示す中間ユニット２と図６に示すアーチ型支持体７を組み立てる。前述と同様に、樋３の両端の円筒部４のネジ筒１０にアーチ型支持体７の水平支持部１１のカップリングナット９を螺合して樋３とアーチ型支持体７を組立てて吊下げ支持し、前記アーチ型支持体７の傾斜支持部１２のカップリングナット９に図７に示すネジ筒１０を螺合する。このようにして、図４に示す中間ユニット２を組み立てる。その際に、前記樋３の半エルボ１４側の支持脚８を高くし、先尖部６側の支持脚８を低くする。
【００１６】
前記ホース接続上流ユニット１は、図１に示すように素麺を流すための水道水のホース接続口５を最上流側に配置する。
最下流側の中間ユニット２は、図１に示すように、素麺を受けるための受け容器１５を設置し、前記受け容器１５内には笊（ざる）等が設けられ、笊により冷水と素麺を分離する。
【００１７】
このようにして組み立てた流しソーメン用水路ユニットは、図１に示すように、ホース接続上流ユニット１及び中間ユニット２の上流側を高くし下流側を低くして、直線状又は円弧状に配列し、その際、中間ユニット２の樋３の先尖部６が次の樋３の半エルボ１４の上方に位置するようにして配列する。
そして、最上流側のホース接続口５に水道ホースを接続して冷水と一緒に素麺を流すことにより、その途中の樋３で流れてきた素麺を箸で摘み上げ食べることができるし、最下流端まで流れた素麺は先尖部６から受け容器１５に入り、笊（ざる）により冷水と素麺とが分離される。なお、分離された水は、受け容器１５に取り付けた排水管を介して敷地内の排水個所へ放流される。
【００１８】
次に、本考案の流しソーメン用水路ユニットの他の実施例を添付図面に基づいて、以下に説明する。
他の実施例の流しソーメン用水路ユニットは、図９の側面図に示すように、最上流に片脚ホース接続ユニット１６を配置し、引き続いて片脚中間ユニット１７を連続的に接続して直線状又は円弧状の流しソーメン用水路が形成される。
【００１９】
前記片脚ホース接続ユニット１６は、図１０の側面図に示すように、半円弧の断面を有する先尖樋１８の上流側に円筒部４を備え、下流側を斜め切断した先尖部６を形成する。
前記樋３の円筒部４を吊下げ支持するアーチ型支持体７を設け、該アーチ型支持体７の両端を支持する２本の支持脚８を設ける。
【００２０】
前記先尖樋１８は、図５に示す前記円筒部４の中央部上面に前記アーチ型支持体７のカップリングナット９に接続されるネジ筒１０を設ける。
前記アーチ型支持体７は、水平の水平支持部１１と該水平支持部１１の両端に下斜め外方へ固定された傾斜支持部１２とからなり、前記水平支持部１１の中央下部にカップリングナット９を設けると共に、前記傾斜支持部１２の端部にもカップリングナット９を設ける。
前記支持脚８は、長さの異なる複数組又は伸縮自在の直線状の円筒体から成り、先端にネジ筒１０を形成し、下端に滑り止め部材１３を備える。前記支持脚８のネジ筒１０は、前記アーチ型支持体７の傾斜支持部１２のカップリングナット９に固定される。
【００２１】
前記片脚中間ユニット１７は、図１１の側面図に示すように、前述のホース接続上流ユニット１と同様に、半円弧の断面を有する先尖樋１８の上流側に円筒部４を備え、下流側に斜め切断した先尖部６を形成する。前記先尖樋１８の円筒部４を吊下げ支持するアーチ型支持体７を設け、該アーチ型支持体７の両端を支持する２本の支持脚８を設ける。
前記先尖樋１８は、図５に示す前記円筒部４の中央部上面に前記アーチ型支持体７のカップリングナット９に接続されるネジ筒１０を設ける。
前記アーチ型支持体７は、水平の水平支持部１１と該水平支持部１１の両端に下斜め外方へ固定された傾斜支持部１２とからなり、前記水平支持部１１の中央下部にカップリングナット９を設けると共に、前記傾斜支持部１２の端部にもカップリングナット９を設ける。
前記支持脚８は、長さの異なる複数組又は伸縮自在の直線状の円筒体から成り、先端にネジ筒１０を形成し、下端に滑り止め部材１３を備える。
【００２２】
次に、他の実施例の流しソーメン用水路ユニットの組立動作を添付図面に基づいて、以下に説明する。
最初に、図１２に示す片脚ホース接続ユニット１６と図６に示すアーチ型支持体７を組み立てる。先尖樋１８の円筒部４のネジ筒１０にアーチ型支持体７の水平支持部１１のカップリングナット９を螺合して先尖樋１８とアーチ型支持体７を組立てて吊下げ片持ち支持する。
次に、前記アーチ型支持体７の傾斜支持部１２のカップリングナット９に図７に示すネジ筒１０を螺合する。
このようにして、図１０に示す片脚ホース接続ユニット１６を組み立てる。
【００２３】
次に、図１３に示す片脚中間ユニット１７と図６に示すアーチ型支持体７を組み立てる。前述と同様に、先尖樋１８の円筒部４のネジ筒１０にアーチ型支持体７の水平支持部１１のカップリングナット９を螺合して先尖樋１８とアーチ型支持体７を組立てて吊下げ片持ち支持し、前記アーチ型支持体７の傾斜支持部１２のカップリングナット９に図７に示すネジ筒１０を螺合する。このようにして、図１１に示す片脚中間ユニット１７を組み立てる。その際に、前記片脚ホース接続ユニット１６の支持脚８を高くし、片脚中間ユニット１７側の支持脚８を低くする。
【００２４】
前記片脚ホース接続ユニット１６は、図９に示すように、素麺を流すための水道水のホース接続口５を最上流側に配置する。
最下流側の片脚中間ユニット１７は、図９に示すように、素麺を受けるための受け容器１５を設置し、前記受け容器１５内には笊（ざる）等が設けられ、笊により冷水と素麺を分離する。
【００２５】
このようにして組み立てた流しソーメン用水路ユニットは、図９に示すように、片脚ホース接続ユニット１６及び片脚中間ユニット１７の上流側を高くし下流側を低くして、直線状又は円弧状に配列し、その際、片脚ホース接続ユニット１６及び片脚中間ユニット１７の先尖樋１８の先尖部６が次の先尖樋１８の半エルボ１４に載るようにして片持ち支持し、最終端に図４に示す中間ユニット２を接続する。
そして、最上流側のホース接続口５に水道ホースを接続して冷水と一緒に素麺を流すことにより、その途中の先尖樋１８で流れてきた素麺を箸で摘み上げ食べることができるし、最下流端まで流れた素麺は先尖部６から受け容器１５に入り、笊（ざる）により冷水と素麺とが分離される。なお、分離された水は、受け容器１５に取り付けた排水管を介して敷地内の排水個所へ放流される。
【符号の説明】
【００２６】
１  ホース接続上流ユニット
２  中間ユニット
３  樋
４  円筒部
５  ホース接続口
６  先尖部
７  アーチ型支持体
８  支持脚
９  カップリングナット
１０  ネジ筒
１１  水平支持部
１２  傾斜支持部
１３  滑り止め部材
１４  半エルボ
１５  受け容器
１６  片脚ホース接続ユニット
１７  片脚中間ユニット
１８  先尖樋
【図１】
0003160054.tif 000003
【図２】
0003160054.tif 000004
【図３】
0003160054.tif 000005
【図４】
0003160054.tif 000006
【図５】
0003160054.tif 000007
【図６】
0003160054.tif 000008
【図７】
0003160054.tif 000009
【図８】
0003160054.tif 000010
【図９】
0003160054.tif 000011
【図１０】
0003160054.tif 000012
【図１１】
0003160054.tif 000013
【図１２】
0003160054.tif 000014
【図１３】
0003160054.tif 000015